(57)【要約】【課題】良好なフィット感を備えた既製品を確実に選択することができるスポーツ用手袋を提供することを目的とする。【解決手段】同一のサイズ分類に属する第１製品及び第２製品間の各指部長さＬ１〜Ｌ５の第１差分を、隣接するサイズ分類に属する第１製品間又は第２製品間の各指部長さＬ１〜Ｌ５の第２差分以上に設定することにより、サイズが大きいゴルフ用手袋１０であっても、各指部長さＬ１〜Ｌ５が短く設定されているゴルフ用手袋１０を選択することができる。【選択図】図１
2004360081.tif 000002
【特許請求の範囲】
【請求項１】
本体部の周囲長さが異なる複数のサイズ分類の１つに属するスポーツ用手袋において、
前記各サイズ分類のスポーツ用手袋は、所定の各指部長さを有する第１製品と、前記第１製品と異なる各指部長さを有する第２製品との少なくとも２種類が揃えられ、
同一の前記サイズ分類に属する前記第１製品及び前記第２製品間の各指部長さの第１差分は、隣接する前記サイズ分類に属する前記第１製品間又は前記第２製品間の各指部長さの第２差分以上に設定することを特徴とするスポーツ用手袋。
【請求項２】
請求項１記載のスポーツ用手袋において、
前記第１差分は、前記第２差分の１．５倍以上に設定することを特徴とするスポーツ用手袋。
【請求項３】
請求項１又は２記載のスポーツ用手袋において、
同一の前記サイズ分類に属する前記第１製品及び前記第２製品間の各指部太さが異なるように設定することを特徴とするスポーツ用手袋。
【請求項４】
請求項１又は２記載のスポーツ用手袋において、
同一の前記サイズ分類に属する前記第１製品及び前記第２製品間の本体部長さが異なるように設定することを特徴とするスポーツ用手袋。
【請求項５】
本体部の周囲長さが異なる複数のサイズ分類の１つに属するスポーツ用手袋において、
前記各サイズ分類のスポーツ用手袋は、所定の各指部長さを有する第１製品と、前記第１製品と異なる各指部長さを有する第２製品との少なくとも２種類が揃えられ、
同一の前記サイズ分類に属する前記第１製品及び前記第２製品間の各指部長さの差分を、前記サイズ分類間での前記周囲長さの変化に応じ変えて設定することを特徴とするスポーツ用手袋。
【発明の詳細な説明】
【０００１】
【発明の属する技術分野】
本発明は、本体部の周囲長さが異なる複数のサイズ分類の１つに属するスポーツ用手袋に関する。
【０００２】
【従来の技術】
一般に、ゴルフクラブ、野球バット等のスポーツ用具を握るときに使用されるスポーツ用手袋は、使用者が良好なフィット感を得られることが必要である。そのため、使用者が自己の手によく適合する手袋を購入できるように、種々のサイズの既製手袋が提供されている。具体的には、手の周囲長さで決められているサイズ分類に従った複数の基準品がある。例えば、男性用の手袋では、増分を１ｃｍとして、周囲長さが２１ｃｍから少なくとも２６ｃｍまでのサイズ分類がある。また、主に米国で用いられているＳ（ｓｍａｌｌ）、Ｍ（ｍｅｄｉｕｍ）、ＭＬ（ｍｅｄｉｕｍ−ｌａｒｇｅ）、Ｌ（ｌａｒｇｅ）、ＸＬ（ｅｘｔｒａ−ｌａｒｇｅ）等というサイズ分類もある。このサイズ分類では、周囲長さの測定がインチ単位で行われるために、多少の違いがあるものの、Ｓは２２ｃｍ、Ｍは２３ｃｍ、ＭＬは２４ｃｍ、Ｌは２５ｃｍ、ＸＬは２６ｃｍにほぼ相当している。
【０００３】
さらに、手の周囲長さが同じ手袋でも、指部長さが適合しなければ、良好なフィット感を得ることができない。そこで、基準品に対して、指部長さの異なるものを既製品として追加して提供することも行われている（例えば、非特許文献１）。この場合、１つのサイズ分類、例えば、２１ｃｍの手袋として、基準品と、基準品に対して指部長さを変えた１種類以上の製品との少なくとも２種類が揃えられる。なお、指部長さを変えた製品と基準品との指部長さの差は、２ｍｍ程度以下に設定されている。隣接するサイズ分類間での指部長さの増分よりも小さい範囲内で設定するのが適正であると考えられていたためである。
【０００４】
ところで、スポーツ用手袋において、特にプロ選手が使用する手袋は、洋服等で行われているのと同じように、注文仕立てのものが利用されているが（例えば、特許文献１）、注文仕立てによる場合、製造日数がかかるとともに、製造コストが高くなるため、一般使用者には殆ど利用されていない。一般使用者は、スポーツ店等に在庫のある既製品の中から、自己の手にフィットするものをその場で安く購入できることを望んでいる。
【０００５】
【特許文献１】
特公平５−３２４８２号公報（特許請求の範囲）
【非特許文献１】
「Ｔｈｅ  Ｂｅｓｔ  Ｆｅｅｌｉｎｇ  ｉｎ  Ｇｏｌｆ」、１９９２  ＧＯＬＦ  ＣＡＴＡＬＯＧ、キャスコ株式会社、１９９２年３月
【０００６】
【発明が解決しようとする課題】
しかしながら、上記のように、同一のサイズ分類に属していて指部長さの異なる２種類のものを揃えただけでは、必ずしも全ての使用者が十分に満足できるフィット感の手袋を選択できるわけではなく、ややきつい又は緩いものを選ばざるを得ない事態が多々発生していた。
【０００７】
本発明は、前記の不具合に鑑みてなされたものであり、良好なフィット感を備えた既製品を確実に選択することができるスポーツ用手袋を提供することを目的とする。
【０００８】
【課題を解決するための手段】
本発明に係るスポーツ用手袋は、本体部の周囲長さが異なる複数のサイズ分類の１つに属するスポーツ用手袋において、
前記各サイズ分類のスポーツ用手袋は、所定の各指部長さを有する第１製品と、前記第１製品と異なる各指部長さを有する第２製品との少なくとも２種類が揃えられ、
同一の前記サイズ分類に属する前記第１製品及び前記第２製品間の各指部長さの第１差分は、隣接する前記サイズ分類に属する前記第１製品間又は前記第２製品間の各指部長さの第２差分以上に設定することを特徴とする。
【０００９】
この場合、製品間の各指部長さが適度に異なっている多数のスポーツ用手袋が既製品として提供されるため、使用者は、良好なフィット感を備えた所望のスポーツ用手袋を選択することができる。
【００１０】
なお、第１差分は、第２差分の１．５倍以上に設定すると好適である。また、同一のサイズ分類に属する第１製品及び第２製品間の各指部太さが異なるように設定してもよい。さらに、同一のサイズ分類に属する第１製品及び第２製品間の本体部長さが異なるように設定してもよい。
【００１１】
さらにまた、本発明に係るスポーツ用手袋は、本体部の周囲長さが異なる複数のサイズ分類の１つに属するスポーツ用手袋において、
前記各サイズ分類のスポーツ用手袋は、所定の各指部長さを有する第１製品と、前記第１製品と異なる各指部長さを有する第２製品との少なくとも２種類が揃えられ、
同一の前記サイズ分類に属する前記第１製品及び前記第２製品間の各指部長さの差分を、前記サイズ分類間での前記周囲長さの変化に応じ変えて設定することを特徴とする。
【００１２】
【発明の実施の形態】
本発明に係るスポーツ用手袋について、好適な実施の形態を挙げ、添付の図面を参照しながら以下説明する。
【００１３】
図１は、スポーツ用手袋として、ゴルフ用手袋１０を例示している。このゴルフ用手袋１０は、本体部１１と、親指、人差し指、中指、薬指、小指の各指部１２〜１６とから基本的に構成されている。手首側には、手の挿入口１７が形成されている。
【００１４】
第１実施形態において、ゴルフ用手袋１０は、本体部１１の周囲長さを１ｃｍ毎に変化させた複数のサイズ分類の手袋からなる。図１に示すように、ゴルフ用手袋１０の本体部１１の周囲長さは、挿入口１７の稜線に対して傾斜した線１８に沿った周囲の長さとする。ゴルフ用手袋１０は、例えば、２３ｃｍ及び２４ｃｍのように、少なくとも２つのサイズ分類の手袋から構成することができ、以下、サイズ分類が２３ｃｍ及び２４ｃｍの手袋からなるゴルフ用手袋１０につき説明する。
【００１５】
サイズ分類２３ｃｍ及び２４ｃｍのゴルフ用手袋１０は、各指部１２〜１６のそれぞれの指部長さＬ１〜Ｌ５を所定の基準長さに設定した第１製品と、第１製品よりも各指部長さＬ１〜Ｌ５を短く設定した第２製品との２種類を同一サイズ分類のゴルフ用手袋１０として揃える。なお、図１に示すように、指部長さＬ１は、親指部１２と人差し指部１３との間の股から親指部１２の先端までの長さ、指部長さＬ２は、人差し指部１３と中指部１４との間の股から人差し指部１３の先端までの長さ、指部長さＬ３は、人差し指部１３と中指部１４との間の股から中指部１４の先端までの長さ、指部長さＬ４は、中指部１４と薬指部１５との間の股から薬指部１５の先端までの長さ、指部長さＬ５は、薬指部１５と小指部１６との間の股から小指部１６の先端までの長さとする。
【００１６】
サイズ分類２４ｃｍの第１製品の各指部長さＬ１〜Ｌ５は、サイズ分類２３ｃｍの第１製品の各指部長さＬ１〜Ｌ５より数ｍｍ、例えば、２〜３ｍｍ長く設定する（第２差分）。サイズ分類２４ｃｍの第２製品の各指部長さＬ１〜Ｌ５は、サイズ分類２４ｃｍの第１製品の各指部長さＬ１〜Ｌ５より、サイズ分類２３ｃｍ及び２４ｃｍの第１製品間での各指部長さＬ１〜Ｌ５の増分以上、例えば、２〜３ｍｍ以上短く設定する（第１差分）。同様に、サイズ分類２３ｃｍの第２製品の各指部長さＬ１〜Ｌ５を、サイズ分類２３ｃｍの第１製品の各指部長さＬ１〜Ｌ５より短く設定する。
【００１７】
各サイズ分類のゴルフ用手袋１０において、第２製品の各指部長さＬ１〜Ｌ５は、第１製品の各指部長さＬ１〜Ｌ５に比して、隣り合うサイズ分類の第１製品間での各指部長さの増分の１．５倍以上短く設定するのが好ましい。
【００１８】
ゴルフ用手袋１０には、天然皮革、合成皮革等が素材として用いられ、素材の伸びの大きい方向を手袋の周囲長さ方向に設定するのが通常である。一方、指部長さＬ１〜Ｌ５は、従来、周囲長さの増加に合わせて長くなるように設定されていた。この場合、例えば、サイズ分類２４ｃｍのゴルフ用手袋１０の周囲長さが適合するが、指部長さＬ１〜Ｌ５が長過ぎて適合しない使用者は、サイズ分類２３ｃｍ以下の基準製品を選択することになる。しかしながら、サイズ分類２３ｃｍ以下のゴルフ用手袋１０を着用すると、きつく感じられてしまう。
【００１９】
これに対して、第１実施形態では、本体部１１と指部１２〜１６がともに適合したゴルフ用手袋１０を選ぶことができるので、より良好なフィット感を得ることができる。
【００２０】
なお、各サイズ分類のゴルフ用手袋１０において、第１製品と第２製品との間で、各指部１２〜１６の太さを変えてもよい。例えば、第１製品に対して各指部長さＬ１〜Ｌ５を短く設定した第２製品の各指部１２〜１６の太さを、第１製品の各指部１２〜１６の太さよりも太く設定することができる。ゴルフ用手袋１０の指部１２〜１６の太さは、指部１２〜１６を構成する指甲部材、指掌部材、又は、必要に応じて指甲部材と指掌部材との間に接合される指襠部材の幅を変えることで太くすることができる。
【００２１】
また、第１製品と第２製品との間で、手首側の端部から指部１２〜１６の基部までの長さである本体部１１の長さを変えてもよい。例えば、第１製品に対して各指部長さＬ１〜Ｌ５を短く設定した第２製品の本体部１１の長さを、第１製品の本体部１１の長さより短く設定してもよい。
【００２２】
ゴルフ用手袋１０の指部長さＬ１〜Ｌ５とともに、指部１２〜１６の太さ又は本体部１１の長さを変えたゴルフ用手袋１０を揃えることにより、一層フィット感が良好なゴルフ用手袋１０を選ぶことが可能になる。
【００２３】
次に、第２実施形態について、サイズ分類が２２ｃｍ、２３ｃｍ及び２４ｃｍのゴルフ用手袋１０からなり、それぞれの各指部長さＬ１〜Ｌ５を所定の基準長さに形成した第１製品と、第１製品よりも各指部長さＬ１〜Ｌ５を短く形成した第２製品との２種類を同一サイズ分類として揃えるゴルフ用手袋１０を例に説明する。
【００２４】
サイズ分類２３ｃｍの第１製品の各指部長さＬ１〜Ｌ５は、サイズ分類２２ｃｍの第１製品の各指部長さＬ１〜Ｌ５より数ｍｍ、例えば、２〜２．５ｍｍ長く、かつ、サイズ分類２４ｃｍの第１製品の各指部長さＬ１〜Ｌ５より数ｍｍ、例えば、２〜２．５ｍｍ短く設定する。そして、サイズ分類２２ｃｍの第２製品の各指部長さＬ１〜Ｌ５は、サイズ分類２２ｃｍの第１製品の各指部長さＬ１〜Ｌ５より、サイズ分類２２ｃｍ及び２３ｃｍの第１製品間での各指部長さＬ１〜Ｌ５の増分未満、例えば、１〜１．５ｍｍ短く設定し、サイズ分類２３ｃｍの第２製品の各指部長さＬ１〜Ｌ５は、サイズ分類２３ｃｍの第１製品の各指部長さＬ１〜Ｌ５より、サイズ分類２２ｃｍ及び２３ｃｍの第１製品間での各指部長さＬ１〜Ｌ５の増分程度、例えば、２〜２．５ｍｍ短く設定し、さらに、サイズ分類２４ｃｍの第２製品の各指部長さＬ１〜Ｌ５は、サイズ分類２４ｃｍの第１製品の各指部長さＬ１〜Ｌ５より、サイズ分類２３ｃｍ及び２４ｃｍの第１製品間での各指部長さＬ１〜Ｌ５の増分を超えて、例えば、３〜３．５ｍｍ短く設定する。なお、サイズ分類２４ｃｍの第２製品の各指部長さＬ１〜Ｌ５は、サイズ分類２４ｃｍの第１製品の各指部長さＬ１〜Ｌ５より、サイズ分類２３ｃｍ及び２４ｃｍの第１製品間での各指部長さＬ１〜Ｌ５の増分程度、例えば、前記２〜２．５ｍｍ短く設定してもよい。
【００２５】
手の周囲長さが同じである使用者でも指の長さにばらつきがあり、また、手の周囲長さの長短によってばらつき程度が異なる。この場合、ゴルフ用手袋１０のサイズ分類の変化に伴って、第１製品の各指部長さＬ１〜Ｌ５と第２製品の各指部長さＬ１〜Ｌ５との差を順次又は段階的に変えることにより、より多くの使用者が、自己の手によくフィットするゴルフ用手袋１０を選び易くなる。
【００２６】
【実施例１】
表１に示す２２ｃｍ〜２５ｃｍまでの４つのサイズ分類から構成されるゴルフ用手袋１０を試作した。各サイズ分類においては、各指部長さＬ１〜Ｌ５を所定の基準長さに形成した第１製品と、第１製品よりも各指部長さＬ１〜Ｌ５を短く形成した第２製品とを揃えた。互いに隣り合うサイズ分類の第１製品間での各指部長さＬ１〜Ｌ５の増分は、表１に示すように２ｍｍに設定し、各サイズ分類の第１製品と第２製品との各指部長さＬ１〜Ｌ５の差は、表１に示すように４ｍｍに設定した。
【００２７】
このようなゴルフ用手袋１０について、２２ｃｍ〜２５ｃｍまでのサイズ分類のいずれかに、手の周囲長さが適合するゴルファ３００人による試着テストを行った結果、８７．０％（２６１人）のゴルファから、大いに満足できるフィット感のゴルフ用手袋１０を選ぶことができたという評価が得られ、満足できるフィット感の手袋がなかったと評価したゴルファが２．３％（７人）で、残りの１０．７％（３２人）がややフィットしていない感じはあるが、ほぼよいフィット感のゴルフ用手袋１０があったと評価した。
【００２８】
【表１】
2004360081.tif 000003
【００２９】
【実施例２】
表２に示す２３ｃｍ〜２６ｃｍまでの４つのサイズ分類から構成されるゴルフ用手袋１０を試作した。各サイズ分類においては、各指部長さＬ１〜Ｌ５を所定の基準長さに形成した第１製品と、第１製品よりも各指部長さＬ１〜Ｌ５を短く形成した第２製品とを揃えた。互いに隣り合うサイズ分類の第１製品間での各指部長さＬ１〜Ｌ５の増分は、表２に示すように２ｍｍに設定し、サイズ分類２３ｃｍ及び２４ｃｍの第１製品と第２製品との各指部長さＬ１〜Ｌ５の差は、表２に示すように３ｍｍに設定し、サイズ分類２５ｃｍ及び２６ｃｍの第１製品と第２製品との各指部長さＬ１〜Ｌ５の差は、表２に示すように５ｍｍに設定した。
【００３０】
このようなゴルフ用手袋１０について、２３ｃｍ〜２６ｃｍまでのサイズ分類のいずれかに、手の周囲長さが適合するゴルファ２００人による試着テストを行った結果、８８．５％（１７７人）のゴルファから、大いに満足できるフィット感のゴルフ用手袋１０を選ぶことができたという評価が得られ、満足できるフィット感の手袋がなかったと評価したゴルファが３．０％（６人）で、残りの８．５％（１７人）がややフィットしていない感じはあるが、ほぼよいフィット感のゴルフ用手袋１０があったと評価した。
【００３１】
【表２】
2004360081.tif 000004
【００３２】
【発明の効果】
以上のように、本発明によれば、製品間の各指部長さが適度に異なっている多数のスポーツ用手袋が既製品として提供されるため、使用者は、良好なフィット感を備えた所望のスポーツ用手袋を選択することができる。
【図面の簡単な説明】
【図１】本実施形態のゴルフ用手袋の正面図である。
【符号の説明】
１０…ゴルフ用手袋                １１…本体部
１２…親指部                      １３…人差し指部
１４…中指部                      １５…薬指部
１６…小指部                      １７…手の挿入口
【図１】
2004360081.tif 000005